【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
他の撮像装置と通信可能な撮像装置であって、
前記他の撮像装置へ露光開始を指示する指示信号を送信する送信手段と、
前記他の撮像装置の、前記送信手段により送信された前記指示信号を受信してから露光を開始するまでの遅延時間を表す第１の情報を取得する取得手段と、
前記取得手段により取得された前記第１の情報に基づいて、自身の露光開始タイミングと前記送信手段により前記指示信号を送信するタイミングの少なくとも一方を制御する制御手段と、を有することを特徴とする撮像装置。
【請求項２】
前記送信手段は、前記他の撮像装置に前記第１の情報を要求する信号を送信し、
前記取得手段は、前記他の撮像装置から送信された前記第１の情報を要求する信号に応じた信号を受信することで、前記第１の情報を取得することを特徴とする請求項１に記載の撮像装置。
【請求項３】
前記取得手段は、前記他の撮像装置の撮影条件に基づいて前記第１の情報を生成することで前記第１の情報を取得することを特徴とする請求項１に記載の撮像装置。
【請求項４】
前記取得手段は、前記他の撮像装置から前記他の撮像装置の撮影条件に関する第２の情報を取得して、前記第１の情報を生成することを特徴とする請求項３に記載の撮像装置。
【請求項５】
前記他の撮像装置の撮影条件を決定する決定手段を更に有し、
前記取得手段は、前記決定手段により決定された前記他の撮像装置の撮影条件に基づいて前記第１の情報を生成することを特徴とする請求項３または４に記載の撮像装置。
【請求項６】
他の撮像装置と通信可能な撮像装置であって、
前記他の撮像装置へ露光開始を指示する指示信号であって、当該指示信号が受信された後に露光準備動作の開始を待機させる待機時間を表す情報を含む信号を送信する送信手段と、
前記他の撮像装置の、前記露光準備動作を開始してから露光が開始されるまでの遅延時間を表す第１の情報を取得する取得手段と、
前記取得手段により取得された前記第１の情報に基づいて、前記待機時間を制御する制御手段と、を有することを特徴とする撮像装置。
【請求項７】
他の撮像装置と通信可能な撮像装置であって、
前記他の撮像装置へ露光開始を指示する指示信号であって、露光開始の基準となる基準時刻を表す情報を含む信号を送信する送信手段と、
前記他の撮像装置の、前記露光準備動作を開始してから露光が開始されるまでの遅延時間を表す第１の情報を取得する取得手段と、
前記取得手段により取得された前記第１の情報に基づいて、前記基準時刻を制御する制御手段と、を有することを特徴とする撮像装置。
【請求項８】
他の撮像装置と通信可能な撮像装置であって、
前記他の撮像装置から露光開始を指示する指示信号を受信する受信手段と、
前記受信手段により前記指示信号を受信してから露光を開始するまでの遅延時間を表す第１の情報を前記他の撮像装置へ送信する送信手段と、
前記受信手段により受信した前記指示信号に基づいて露光を開始させる露光制御手段と、を有することを特徴とする撮像装置。
【請求項９】
前記受信手段は、前記他の撮像装置から送信された前記第１の情報を要求する信号を受信し、
前記送信手段は、前記他の撮像装置から送信された前記第１の情報を要求する信号に応じて前記第１の情報を前記他の撮像装置へ送信することを特徴とする請求項８に記載の撮像装置。
【請求項１０】
通信装置と通信可能な撮像装置であって、
前記通信装置から露光開始を指示する指示信号を受信する受信手段と、
前記受信手段により前記指示信号を受信してから露光を開始するまでの遅延時間を表す第１の情報を前記通信装置へ送信する送信手段と、
前記受信手段により受信した前記指示信号に基づいて露光を開始させる露光制御手段と、を有することを特徴とする撮像装置。
【請求項１１】
前記受信手段は、前記通信装置から送信された前記第１の情報を要求する信号を受信し、
前記送信手段は、前記通信装置から送信された前記第１の情報を要求する信号に応じて前記第１の情報を前記通信装置へ送信することを特徴とする請求項１０に記載の撮像装置。
【請求項１２】
複数の撮像装置と通信可能な通信装置であって、
前記複数の撮像装置へ露光開始を指示する指示信号を送信する送信手段と、
前記複数の撮像装置の、前記送信手段により送信された前記指示信号を受信してから露光を開始するまでの遅延時間を表す第１の情報を取得する取得手段と、
前記取得手段により取得された前記第１の情報に基づいて、前記送信手段により前記複数の撮像装置へ前記指示信号を送信するタイミングを制御する制御手段と、を有することを特徴とする通信装置。
【請求項１３】
複数の撮像装置と通信可能な通信装置であって、
前記複数の撮像装置へ露光開始を指示する指示信号であって、当該指示信号が受信された後に露光準備動作の開始を待機させる待機時間を表す情報を含む信号を送信する送信手段と、
前記複数の撮像装置の、前記露光準備動作を開始してから露光が開始されるまでの遅延時間を表す第１の情報を取得する取得手段と、
前記取得手段により取得された前記第１の情報に基づいて、前記待機時間を制御する制御手段と、を有することを特徴とする通信装置。
【請求項１４】
複数の撮像装置と通信可能な通信装置であって、
前記複数の撮像装置へ露光開始を指示する指示信号であって、露光開始の基準となる基準時刻を表す情報を含む信号を送信する送信手段と、
前記複数の撮像装置の、前記露光準備動作を開始してから露光が開始されるまでの遅延時間を表す第１の情報を取得する取得手段と、
前記取得手段により取得された前記第１の情報に基づいて、前記基準時刻を制御する制御手段と、を有することを特徴とする通信装置。
【請求項１５】
他の撮像装置と通信可能な撮像装置の制御方法であって、
前記他の撮像装置へ露光開始を指示する指示信号を送信する送信ステップと、
前記他の撮像装置の、前記送信ステップで送信された前記指示信号を受信してから露光を開始するまでの遅延時間を表す第１の情報を取得する取得ステップと、
前記取得ステップで取得された前記第１の情報に基づいて、自身の露光開始タイミングと前記送信ステップで前記指示信号を送信するタイミングの少なくとも一方を制御する制御ステップと、を有することを特徴とする制御方法。
【請求項１６】
他の撮像装置と通信可能な撮像装置の制御方法であって、
前記他の撮像装置へ露光開始を指示する指示信号であって、当該指示信号が受信された後に露光準備動作の開始を待機させる待機時間を表す情報を含む信号を送信する送信ステップと、
前記他の撮像装置の、前記露光準備動作を開始してから露光が開始されるまでの遅延時間を表す第１の情報を取得する取得ステップと、
前記取得ステップで取得された前記第１の情報に基づいて、前記待機時間を制御する制御ステップと、を有することを特徴とする制御方法。
【請求項１７】
他の撮像装置と通信可能な撮像装置の制御方法であって、
前記他の撮像装置へ露光開始を指示する指示信号であって、露光開始の基準となる基準時刻を表す情報を含む信号を送信する送信ステップと、
前記他の撮像装置の、前記露光準備動作を開始してから露光が開始されるまでの遅延時間を表す第１の情報を取得する取得ステップと、
前記取得ステップで取得された前記第１の情報に基づいて、前記基準時刻を制御する制御ステップと、を有することを特徴とする制御方法。
【請求項１８】
複数の撮像装置と通信可能な通信装置の制御方法であって、
前記複数の撮像装置へ露光開始を指示する指示信号を送信する送信ステップと、
前記複数の撮像装置の、前記送信ステップで送信された前記指示信号を受信してから露光を開始するまでの遅延時間を表す第１の情報を取得する取得ステップと、
前記取得ステップで取得された前記第１の情報に基づいて、前記送信ステップで前記複数の撮像装置へ前記指示信号を送信するタイミングを制御する制御ステップと、を有することを特徴とする制御方法。
【請求項１９】
複数の撮像装置と通信可能な通信装置の制御方法であって、
前記複数の撮像装置へ露光開始を指示する指示信号であって、当該指示信号が受信された後に露光準備動作の開始を待機させる待機時間を表す情報を含む信号を送信する送信ステップと、
前記複数の撮像装置の、前記露光準備動作を開始してから露光が開始されるまでの遅延時間を表す第１の情報を取得する取得ステップと、
前記取得ステップで取得された前記第１の情報に基づいて、前記待機時間を制御する制御ステップと、を有することを特徴とする制御方法。
【請求項２０】
複数の撮像装置と通信可能な通信装置の制御方法であって、
前記複数の撮像装置へ露光開始を指示する指示信号であって、露光開始の基準となる基準時刻を表す情報を含む信号を送信する送信ステップと、
前記複数の撮像装置の、前記露光準備動作を開始してから露光が開始されるまでの遅延時間を表す第１の情報を取得する取得ステップと、
前記取得ユニットにより取得された前記第１の情報に基づいて、前記基準時刻を制御する制御ステップと、を有することを特徴とする制御方法。
【手続補正２】
【補正対象書類名】明細書
【補正対象項目名】発明の名称
【補正方法】変更
【補正の内容】
【発明の名称】通信装置、撮像装置及びそれらの制御方法
【手続補正３】
【補正対象書類名】明細書
【補正対象項目名】０００７
【補正方法】変更
【補正の内容】
【０００７】
上記課題を解決するために、本発明の撮像装置は、他の撮像装置と通信可能な撮像装置であって、前記他の撮像装置へ露光開始を指示する指示信号を送信する送信手段と、前記他の撮像装置の、前記送信手段により送信された前記指示信号を受信してから露光を開始するまでの遅延時間を表す第１の情報を取得する取得手段と、前記取得手段により取得された前記第１の情報に基づいて、自身の露光開始タイミングと前記送信手段により前記指示信号を送信するタイミングの少なくとも一方を制御する制御手段と、を有することを特徴とする。